(57)【要約】【課題】逆流防止機能を備えた止水弁を提供する。【解決手段】一次側流路３と二次側流路５とを連通する弁口６の二次側に弁座10を設けると共に、該弁座10に弁体11を着離自在に設け、該弁体11は弁口６の軸線方向に進退自在なスピンドル７との間に、スピンドル７の進退に応じ弁体11との間で伸縮するバネ12を介装する。【選択図】図２
2005140182.tif 000002
【特許請求の範囲】
【請求項１】
一次側流路と二次側流路とを連通する弁口の二次側に弁座を設けると共に、該弁座に弁
体を着離自在に設け、該弁体は弁口の軸線方向に進退自在なスピンドルとの間に、スピン
ドルの進退に応じ弁体との間で伸縮するバネを介装したことを特徴とする逆止機能付き止
水栓。
【請求項２】
弁体をバネに当接した球状と成したことを特徴とする請求項１記載の逆止機能付き止水
栓。
【発明の詳細な説明】
【技術分野】
【０００１】
本発明は、逆流防止機能を備えた止水栓に関する。
【背景技術】
【０００２】
従来、配水管を分岐している給水管において設置される止水栓には、逆止弁を設けてい
ないため、止水栓の一次側が負圧となったり、止水栓の二次側の圧力が一次側より高くな
ることで水が逆流し、配水管側が汚染される危険を有していた。
上記の様な逆流を防止するため、逆止弁を流路中に設ける様になったが、逆止弁の設置
のためのスペースを必要とするので、その据え付けにおいて周辺機器との調和を図るため
にはその据付位置が限定されて汎用性に欠けるなどの問題があり、逆止弁を一体に備えた
止水栓が広く使用されている（例えば、特許文献１参照）。
【特許文献１】特許第３４５３４２４号公報
【発明の開示】
【発明が解決しようとする課題】
【０００３】
しかしながら、上記止水栓は、逆止弁を単純に組み合わせたもので、止水栓と逆止弁の
２つの弁機構を組み込まねばならないため、その構造は複雑で大型にならざるを得ず、又
組立及び保守点検が煩雑となる等の課題を有していた。
【課題を解決するための手段】
【０００４】
本発明は、上記課題に鑑み、一次側流路と二次側流路とを連通する弁口の二次側に弁座
を設けると共に、該弁座に弁体を着離自在に設け、該弁体は弁口の軸線方向に進退自在な
スピンドルとの間に、スピンドルの進退に応じ弁体との間で伸縮するバネを介装した逆止
機能付き止水栓を提供することにより、上記課題を解決する。
又、弁体はバネに当接した球状と成しても良い。
【発明の効果】
【０００５】
要するに本発明は、一次側流路と二次側流路とを連通する弁口の二次側に弁座を設ける
と共に、該弁座に弁体を着離自在に設け、該弁体は弁口の軸線方向に進退自在なスピンド
ルとの間に、スピンドルの進退に応じ弁体との間で伸縮するバネを介装したので、スピン
ドルを進退させることにてバネの弁体に対する閉弁方向の付勢（弾性）力を調整でき、こ
れによりバネを最収縮させた時には弁体を閉弁させて止水でき、又最収縮状態よりバネを
緩めることにより弁体を開弁可能状態と成して通水できる。
そして、弁体が開弁した通水時において逆流が生じても、この時逆流する二次側圧力だ
けでなく、この逆流圧力に常に閉弁方向に付勢されたバネの弾性力が加わることにより、
弁体を弁座に即座に着座させられ、一次側への逆流を防止できる。
この様に、バネの弾性力が弁体の閉弁方向に常に付勢されていることにより、例え逆流
時に一次側と二次側の圧力が微差であっても、一次側圧力と二次側圧力が同じ圧力に成る
前にバネによって確実にして強固に閉弁でき、その閉弁状態を保持できるので、より精度
の高い逆流防止を実現できる。
よって、本発明によれば、従来の様に、止水栓と逆止弁の２つの弁機構を組み込む必要
がなく、上記の通り部品点数が少なく構造が簡単なため、止水栓自体を小型化できると共
に、組立及び保守点検が極めて容易で安価である。
【０００６】
弁体をバネに当接した球状と成したので、弁座に着座する部位が作動のたびに異なり、
弁体と弁座の間における異物の噛み込みを防止でき、止水時の微少な漏れもないため、メ
ンテナンスフリーと成すことができると共に、弁体を通過する水が球面に沿って一次側か
ら二次側へスムーズに流動するため、圧力損失を少なくでき止水栓の性能を向上できる等
その実用的効果甚だ大である。
【発明を実施するための最良の形態】
【０００７】
以下本発明の実施の一形態例を図面に基づいて説明する。
図１、２は、逆止機能付き止水栓の縦断面図であり、図１は止水状態を示し、図２は、
逆流時の止水状態を示している。
止水栓の弁箱１は、給水源側に連通する入口２の（一次側）流路３と吐水側に連通する
出口４の（二次側）流路５の中心線が一直線上にあって、一次側流路３と二次側流路５を
連通する弁口６の二次側に延びる軸線と二次側流路５が鋭角を成した所謂Ｙ形に形成され
ている。
弁箱１の上部は、弁口６の二次側へ延びる軸線に沿って略筒状に形成され、その上端を
開口形成しており、この開口部は弁口６の軸線方向に進退自在なスピンドル７を水密状に
挿通支持するＯリング８付きの蓋体９で水密状に螺着閉塞されている。
【０００８】
弁口６は、二次側から一次側に向かって縮径した漏斗状に形成され、弁口６の拡径した
二次側に弁座10を設けている。
弁座10には、ゴム製で球状の弁体11を着離自在に設け、該弁体11はスピンドル７との間
に、スピンドル７の進退に応じ弁体11との間で伸縮するバネ12を介装し、該バネ12は常に
弁体11を閉弁方向へ付勢している。
【０００９】
スピンドル７は、その基端部側に螺刻した雄螺子を、蓋体９の上面中央に突設した筒状
部9aの内面に螺刻した雌ねじに螺着し、スピンドル７の基端部端面の直径方向に一条の凹
溝7aを刻設し、該凹溝7aにマイナスドライバ等の治具の穂先を嵌めて該治具を正逆回転す
ることにより、スピンドル７を弁口６の軸線方向に進退自在と成している。
又、スピンドル７において、蓋体９を挿通し且つ雄螺子を有しない部位にはＯリング溝
を周設し、該Ｏリング溝に装着したＯリング13にて蓋体９とこれに挿通したスピンドル７
との間を水密しており、又スピンドル７の中途部位には、蓋体９のスピンドル挿通孔より
大径な鍔状のストッパー7bを外方突設し、スピンドル７の後退完了状態で蓋体９の内側端
面9bにストッパー7bを当接する様に成している。
【００１０】
バネ12は、円錐コイルバネから成り、その小径端部をスピンドル７の先端部に設けたバ
ネ受け7cに固着し、大径端部は常に弁体11に当接している。
尚、バネ12は、円錐コイルバネに限定されるものではなく、円筒コイルバネであっても
良く、又スピンドル７の基端を延出形成し、その延出端部にスピンドル７を進退操作する
ハンドルを設けても良い。
又、本実施例にあっては、Ｙ形の弁箱１を示したが、弁箱１の形式はＹ形に限らず、例
えばアングル形であっても良く、又弁体11にあっても球状に限定されず、円盤状であって
も良く、この場合、弁口６、弁座10及びバネ12の形状も弁体11の形状に対応した形状に形
成される。
【００１１】
次に本発明に係る逆止機能付き止水栓の作用について説明する。
図１に示す止水状態では、スピンドル７を閉弁方向に移動させ、バネ12を最収縮させる
ことにより、弁体11を弁座10に強固に着座させて止水している。
この止水状態において、スピンドル７を後退させる様に回転させ、弁体11とスピンドル
７間でバネ12を伸長させ、バネ12の弾性力（弁体11に対する閉弁力）を弱めることにより
、弁体11の開弁方向に作用する一次側圧力が、弁体11の閉弁方向に作用するバネ12の弾性
力と二次側圧力に打ち勝ち、バネ12を収縮させて弁体11が弁座10より離間させ、水が弁口
６を通じて一次側から二次側へ流動して通水する。
そして、弁体11が開弁した通水時において、逆流が生じた場合、逆流する２次側圧力が
一次側圧力より大きくなり、この逆流圧力と弁体11の閉弁方向に常に作用しているバネ12
の弾性力により、即座に弁体11が弁座10に着座して一次側への逆流を防止する（図２参照
）。
【図面の簡単な説明】
【００１２】
【図１】逆止機能付き止水栓の止水状態を示した縦断面図である。
【図２】逆流時の止水状態を示した止水栓の縦断面図である。
【符号の説明】
【００１３】
３  一次側流路
５  二次側流路
６  弁口
７  スピンドル
10  弁座
11  弁体
12  バネ
【図１】
2005140182.tif 000003
【図２】
2005140182.tif 000004